(57)【要約】【課題】９０度程度折り曲げることにより十分なロック作用を得ることができるようにする。【解決手段】ブランクの所定部位を折り曲げるためのもので、ロック部１４と、該ロック部１４の両側から延びる折曲線１９とからなり、ロック部１４は、折曲線１９を挟んで両側にそれぞれ位置し、該折曲線１９の延び方向に沿って位相差を有するように設けた第１切断線１５ａ，１５ｂと、近傍に位置する一側の第１切断線１５ａの端部と、他側の第１切断線１５ｂの端部とを連続するように設けた第２切断線１６と、折曲線１９の近傍に位置する第１切断線１５の端部に設けられ、折曲線１９と連続するように設けた第３切断線１７とからなり、これら切断線により逆向きに突出するロック片１８ａ，１８ｂを形成した構成とする。【選択図】図１
2005008274.tif 000002
【特許請求の範囲】
【請求項１】
ブランクの所定部位を折り曲げるためのもので、ロック部と、該ロック部の両側から延びる折曲線とからなり、
前記ロック部は、
前記折曲線を挟んで両側にそれぞれ位置し、該折曲線の延び方向に沿って位相差を有するように設けた第１切断線と、
近傍に位置する一側の第１切断線の端部と、他側の第１切断線の端部とを連続するように設けた第２切断線と、
前記折曲線の近傍に位置する第１切断線の端部に設けられ、前記折曲線と連続するように設けた第３切断線とからなり、
これら切断線により逆向きに突出するロック片を形成したことを特徴とする紙製品の罫線構造。
【請求項２】
前記第１切断線において、一側の第１切断線と他側の第１切断線とは、互いに重なり合う部分が生じないように、各端部が所定の間隔をもって位置し、前記第２切断線が第１切断線に対して鈍角に交差するようにしたことを特徴とする請求項１に記載の紙製品の罫線構造。
【請求項３】
ブランクの所定部位を折り曲げるためのもので、ロック部と、該ロック部の両側から延びる折曲線とからなり、
前記ロック部は、
前記折曲線と所定間隔をもって略並行に延びる第１切断線と、
前記第１切断線の両端から前記折曲線を通過するとともに、互いに離間するように外向きに傾斜する第２切断線と、
前記第１切断線の両端から前記第２切断線と反対側に延びるとともに、互いに離間するように外向きに傾斜する第３切断線とからなり、
これら切断線により逆向きに突出するロック片を形成したことを特徴とする紙製品の罫線構造。
【請求項４】
容器本体の一端開口に、内向きに折曲可能なフラップを設け、少なくとも該フラップに対して別体の蓋を貼着して閉塞するようにした紙製容器において、
前記容器本体とフラップとの境界に、ロック部と、該ロック部の両側から延びる折曲線とからなる罫線を設け、該罫線を、前記請求項１乃至請求項３のいずれかに記載の罫線構造としたことを特徴とする紙製容器。
【発明の詳細な説明】
【技術分野】
【０００１】
本発明は、紙製品の罫線構造および該罫線を用いた紙製容器に関するものである。
【背景技術】
【０００２】
本発明の紙製品の罫線構造に関連する先行技術文献情報としては次のものがある。
【０００３】
【特許文献１】実開平３−１１６２０号公報
【０００４】
この特許文献１では、容器本体の一端開口にフラップを設け、別体の蓋を前記フラップに貼着することにより開口を閉塞するようにした紙製容器が提供されている。前記容器本体とフラップとの境界部分に形成される罫線は、直線的な折り曲げ部分の片側（フラップ上）において、平行かつ断続的にミシン目状の直線切込が設けられている。そして、該直線切込の両端には、前記折曲直線を通過するとともに、互いに近接する内側に傾斜する傾斜切込が設けられている。
【０００５】
このような罫線を備えた段ボール箱は、容器本体に対してフラップを折り曲げると、直線切込および傾斜切込により囲まれた略逆台形状の部分が側壁と面一に延び、この台形状部分に折り曲げたフラップの端縁が干渉することによりロック作用を得ることができるように構成している。また、上向きに延びる台形状部分の傾斜した縁とフラップの縁とが交差するため、更にロック作用を得ることができる。
【発明の開示】
【発明が解決しようとする課題】
【０００６】
しかしながら、前記罫線構造は、前記フラップを９０度以上折り曲げなければ、フラップの端縁と台形状部分とが係止しないうえ、台形状部分の傾斜縁とフラップの縁とが係止しないため、十分なロック作用を得ることができない。逆に、フラップを９０度以上折り曲げた場合には、十分なロック作用を得ることができるが、フラップが容器本体の周壁の上端縁を越えて内側に入り込んでしまうことがあり、この場合、別体からなる蓋を貼着する作業が非常に困難になる。
【０００７】
また、前記傾斜切込は直線切込に対して鋭角に交差されているため、表紙と裏紙とこれらの間の中しんとからなる段ボール紙製の場合には、前記裏紙に捲れが生じ、ロック作用を損なうという問題がある。
【０００８】
そこで、本発明では、９０度程度折り曲げることにより十分なロック作用を得ることができ、別体からなる蓋を確実に取り付けることができる紙製品の罫線構造およびその罫線を用いた紙製容器を提供することを課題とするものである。
【課題を解決するための手段】
【０００９】
前記課題を解決するため、本発明の第１の紙製品の罫線構造は、ブランクの所定部位を折り曲げるためのもので、ロック部と、該ロック部の両側から延びる折曲線とからなり、前記ロック部は、前記折曲線を挟んで両側にそれぞれ位置し、該折曲線の延び方向に沿って位相差を有するように設けた第１切断線と、近傍に位置する一側の第１切断線の端部と、他側の第１切断線の端部とを連続するように設けた第２切断線と、前記折曲線の近傍に位置する第１切断線の端部に設けられ、前記折曲線と連続するように設けた第３切断線とからなり、これら切断線により逆向きに突出するロック片を形成した構成としている。
【００１０】
この罫線構造では、前記第１切断線において、一側の第１切断線と他側の第１切断線とは、互いに重なり合う部分が生じないように、各端部が所定の間隔をもって位置し、前記第２切断線が第１切断線に対して鈍角に交差することが好ましい。
【００１１】
また、本発明の第２の紙製品の罫線構造は、ブランクの所定部位を折り曲げるためのもので、ロック部と、該ロック部の両側から延びる折曲線とからなり、前記ロック部は、前記折曲線と所定間隔をもって略並行に延びる第１切断線と、前記第１切断線の両端から前記折曲線を通過するとともに、互いに離間するように外向きに傾斜する第２切断線と、前記第１切断線の両端から前記第２切断線と反対側に延びるとともに、互いに離間するように外向きに傾斜する第３切断線とからなり、これら切断線により逆向きに突出するロック片を形成した構成としている。
【００１２】
さらに、本発明では、容器本体の一端開口に、内向きに折曲可能なフラップを設け、少なくとも該フラップに対して別体の蓋を貼着して閉塞するようにした紙製容器において、前記容器本体とフラップとの境界に、ロック部と、該ロック部の両側から延びる折曲線とからなる罫線を設け、該罫線を、前記したいずれかの罫線構造とした紙製容器を提供するものである。
【発明の効果】
【００１３】
本発明の第１および第２の発明の紙製品の罫線構造では、３種の切断線からなるロック部と折曲線とからなるため、所定部位の折り曲げに必要な力は小さくてよいうえ、屈曲率を高くすることができる。そして、９０度程度折り曲げるだけで、各切断線により囲まれたロック片と対向する縁とを係止してロック作用を得ることができる。また、折り曲げ時には、逆向きに突出するように形成されるロック片が、対向する縁から逃げるように変形するため、捲れに係る問題も防止できる。言い換えれば、逆向きに突出する各ロック片は、それぞれ自身が撓むことが可能であるため、対向する縁との間に摩擦による引っ掛かりが生じても変形することにより、捲れの問題が生じることはない。
【００１４】
また、第１の発明の罫線構造では、前記第１切断線において、一側の第１切断線と他側の第１切断線とが互いに重なり合う部分が生じないように設定し、第２切断線が第１切断線に対して鈍角に交差するようにしている。さらに、第２の発明の罫線構造では、第１切断線の両端から外向きに傾斜するように第２，第３切断線を形成し、これら切断線が第１切断線に対して鈍角に交差するようにしている。そのため、各切断線の間に形成されるロック片は台形状をなすように形成できる。その結果、第２切断線および第３切断線での摩擦抵抗が少なくでき、折曲作業性をより向上できるうえ、捲れが生じる問題を確実に防止できる。
【００１５】
また、この罫線構造を用いた紙製容器によれば、折り曲げたフラップは、ロック部のロック作用により、折り曲げ前の状態に戻ることはないが、第２切断線による縁の干渉により、若干戻る力が作用する。その結果、例えば９０度以上折り曲げる力を加えても、フラップには、若干戻る方向に力が作用する。そのため、蓋を貼着する作業が困難になるという問題を確実に防止できる。
【発明を実施するための最良の形態】
【００１６】
以下、本発明の実施の形態を図面に従って説明する。
図１から図５は、本発明の第１実施形態に係る罫線構造を適用した紙製容器１を示す。この紙製容器１は、紙器打抜装置（図示せず）によって段ボール紙を図１（Ａ）に示す連続した一枚のブランクとして打ち抜き、図２および図３に示すように、所定位置を折り曲げるとともに貼着して成形される。なお、前記段ボール紙は、一対の表紙と裏紙との間に波状の中しんを配設したものである。
【００１７】
この紙製容器１は、例えば円柱状をなす容器を横方向に３個並べるとともに、２個ずつ積み重ねて合計で６個収容できるようにしたもので、そのブランクは、図１（Ａ）に示すように、矩形状をなす上壁２と、上壁２の対向する上下縁に連設した側壁９Ａ，９Ｂとを備えている。
【００１８】
前記上壁２と側壁９Ａ，９Ｂとの境界部分には、折り曲げおよび切り取り用の第１罫線３が設けられている。この第１罫線３は、図１（Ｂ）に示すように、段ボール紙に罫を入れて形成した折曲線３ａに沿って所定間隔をもってミシン目状に切断部３ｂを設けたリード罫からなる。前記切断部３ｂのうち、両側部に位置する所定の切断部３ｂの端には、上壁２内に向けて延びる傾斜切断部３ｃが設けられている。また、上壁２には、上側の側壁９Ａと隣接する縁に、略長楕円形状をなす一対の第１指差部４が設けられている。この第１指差部４は、内部に並べて収容する３列の容器において、隣接する容器の間に位置するように設けられており、対向する略Ｃ字形状の切断部４ａ，４ａを設け、その間の長辺が連続部分となるように形成されている。
【００１９】
また、前記上壁２の両側縁には、後述する内フラップ１０Ａ，１０Ｂに貼着する外フラップ５が設けられている。この上壁２と外フラップ５との境界部分には、折り曲げおよび切り取り用の第２罫線６が設けられるとともに、略半円形状をなす第２指差部７が設けられている。前記第２罫線６は、第２指差部７の両端間に延びる折曲線６ａと、該折曲線６ａの両側に延びる片ジッパー６ｂとからなる。この片ジッパー６ｂは、所定間隔をもって直線状に延びる切断部と該切断部の一端より上壁２内に向けて延びるガイド用切断部とからなるものである。前記第２指差部７は、所定間隔をもって円弧状に切断部７ａを設けることにより形成されている。また、この外フラップ５には、第２指差部７の頂部から先端に向けてミシン目状の切断部を設けてなる切離部８が設けられている。
【００２０】
前記側壁９Ａ，９Ｂは、四方を囲繞する周壁のうち対向する２つの壁を構成するもので、その両側縁には、残りの２つの壁を構成する内フラップ１０Ａ，１０Ｂがそれぞれ設けられている。各内フラップ１０Ａ，１０Ｂには、前記第２指差部７と対応する位置が面取りされている。また、側壁９Ａ，９Ｂと内フラップ１０Ａ，１０Ｂとの境界部分には、折り曲げ用の第３罫線１１が設けられている。この第３罫線１１は、段ボール紙に罫を入れて設けた折曲線からなる。
【００２１】
本実施形態では、前記側壁９Ａ，９Ｂの各上下端に底蓋２０を貼着するためのフラップ１２Ａ，１２Ｂが設けられている。なお、これらフラップ１２Ａ，１２Ｂのうち、フラップ１２Ａは側壁９Ａの縁の略半分の領域から突出され、フラップ１２Ｂは側壁９Ｂの縁の略全体から突出されている。各側壁９Ａ，９Ｂとフラップ１２Ａ，１２Ｂとの境界部分には、折り曲げ用の第４罫線１３が設けられている。この第４罫線１３は、ロック部１４と、該ロック部１４の両側に設けた折曲線１９とからなる。ここで、側壁９Ａと短尺なフラップ１２Ａとの境界部分に形成する第４罫線１３には１つのロック部１４が形成され、側壁９Ｂと長尺なフラップ１２Ｂとの境界部分に形成する第４罫線１３には２つのロック部１４が形成されている。
【００２２】
前記ロック部１４は、図１（Ｃ）に示すように、前記折曲線１９を挟んで両側にそれぞれ位置する第１切断線１５ａ，１５ｂと、該第１切断線１５ａ，１５ｂの端部を連続するように設けた第２切断線１６と、折曲線１９の端部と近傍に位置する両端の第１切断線１５ａ，１５ａの端部とを連続するように設けた第３切断線１７とからなる。
【００２３】
前記第１切断線１５ａ，１５ｂは、折曲線１９の延び方向に沿って位相差を有するように、フラップ１２Ａ，１２Ｂの側に２つ、側壁９Ａ，９Ｂの側に１つ千鳥足状の配置で設けられている。また、各第１切断線１５ａ，１５ｂは、互いに重なり合う部分が生じないように、各端部が所定の間隔をもって位置するように設けられている。
【００２４】
前記第２切断線１６は、近傍に位置する第１切断線１５ａの端部と第１切断線１５ｂの端部、および、第１切断線１５ｂの端部と第１切断線１５ａの端部との間に設けられるもので、本実施形態では、その両端が各第１切断線１５ａ，１５ｂを越えて延びるように設けられている。また、本実施形態の第２切断線１６は、前記第１切断線１５ａ，１５ｂの位置設定により、これら第１切断線１５ａ，１５ｂと鈍角に交差し、その間に台形状に囲まれたロック片１８ａが形成されるように構成している。
【００２５】
前記第３切断線１７は、折曲線１９の端部に向けて延びるもので、第２切断線１６と同様に、折曲線１９と鈍角に交差し、その間に前記ロック片１８ａとは逆向きに突出する台形状のロック片１８ｂが形成されるように構成している。また、第３切断線１７の先端は、折曲線１９を越えて延びるように設けられている。
【００２６】
前記折曲線１９は、段ボール紙に罫を入れて形成した折曲線に沿って所定間隔をもってミシン目状に切断部を設けたリード罫からなる。
【００２７】
次に、本発明の第４罫線１３を適用した紙製容器１による包装方法について説明する。
【００２８】
まず、ブランクの表面を下側とし、収容する円柱状の商品を３個並べるとともに２個ずつ積み重ねる。この状態で、図２に示すように、側壁９Ａ，９Ｂを上壁２に対して折り曲げるとともに、内フラップ１０Ａ，１０Ｂを側壁９Ａ，９Ｂに対して折り曲げる。ついで、図３に示すように、ホットメルトなどの接着剤を塗布した外フラップ５を上壁２に対して折り曲げ、内フラップ１０Ａ，１０Ｂに対して貼着する。
【００２９】
その後、一対のフラップ１２Ａ，１２Ｂを側壁９Ａ，９Ｂに対して折り曲げた後、図５に示すように、これらフラップ１２Ａ，１２Ｂに前記と同様の接着剤を塗布し、その上方から別体の底蓋２０を配設して貼着することにより、開口を閉塞する。
【００３０】
前記フラップ１２Ａ，１２Ｂを折り曲げる際には、その第４罫線１３が３種の切断線１５ａ，１５ｂ，１６，１７とリード罫からなる折曲線１９とからなるため、その折り曲げに必要な力は小さくてよいうえ、屈曲率が高い。しかも、ロック部１４は、逆向きに突出するロック片１８ａ，１８ｂが台形状をなすため、第２切断線１６および第３切断線１７での摩擦抵抗も少なく、捲れが生じ難い形状をなしている。なお、これらの作用は、第１切断線１５ａ，１５ｂを越えて延びるように形成した第２切断線１６により増大されている。そのため、９０度程度折り曲げるだけで、図４に示すように、側壁９Ａ，９Ｂの縁とロック片１８ａの面とを係止できるとともに、フラップ１２Ａ，１２Ｂの縁とロック片１８ｂ，１８ｂの面とを係止し、ロック作用を得ることができる。なお、捲れに係る問題は、折り曲げ時に、ロック片１８ａ，１８ｂが、対向する側壁９Ａ，９Ｂおよびフラップ１２Ａ，１２Ｂの縁から逃げるように変形するため、より確実に防止できる。言い換えれば、逆向きに突出する各ロック片１８ａ，１８ｂは、それぞれ自身が撓むことが可能であるため、対向する縁との間に摩擦による引っ掛かりが生じても変形することにより、捲れの問題が生じることはない。
【００３１】
このように折り曲げられたフラップ１２Ａ，１２Ｂは、各ロック片１８ａ，１８ｂと対向する縁とのロック作用により、折り曲げ前の状態に戻ることはないが、傾斜した第２切断線１６によるロック片１８ａ，１８ｂの縁の干渉、および、紙自身の腰（弾性力）により、若干戻る力が作用する。その結果、例えば９０度以上折り曲げる力を加えても、フラップ１２Ａ，１２Ｂは、図５に示すように、若干上向きに傾斜した状態をなす。そのため、底蓋２０を貼着する作業が困難になるという問題を確実に防止できる。
【００３２】
図６から図８は第２実施形態の罫線構造を適用した紙製容器１を示す。この第２実施形態では、側壁９Ａ，９Ｂとフラップ１２Ａ，１２Ｂとの間に形成する第４罫線１３の構造を変更した点でのみ、第１実施形態と相違している。
【００３３】
具体的には、第２実施形態の第４罫線１３は、ロック部１４と、該ロック部１４の両側に設けた折曲線１９とからなり、側壁９Ａと短尺なフラップ１２Ａとの境界部分に形成する第４罫線１３には２つのロック部１４が形成され、側壁９Ｂと長尺なフラップ１２Ｂとの境界部分に形成する第４罫線１３には３つのロック部１４が形成されている。
【００３４】
前記ロック部１４は、図６（Ｂ）に示すように、前記折曲線１９を挟んで両側にそれぞれ位置する第１切断線１５ａ，１５ｂと、該第１切断線１５ａ，１５ｂの端部間に設けた第２切断線１６と、折曲線１９の近傍に位置する両端の第１切断線１５ａ，１５ｂの端部に設け第３切断線１７とからなる第１実施形態と同様の構成である。そして、この第２実施形態では、第１切断線１５ａ，１５ｂをフラップ１２Ａ，１２Ｂおよび側壁９Ａ，９Ｂの側にそれぞれ１つずつ設けるとともに、第３切断線１７を折曲線１９に対して直交する方向に延びるように設けた点でのみ、第１実施形態と相違している。これら切断線１５ａ，１５ｂ，１６，１７により第１実施形態と同様に、逆向きに突出するロック片１８ａ，１８ｂを形成している。
【００３５】
このように構成した第２実施形態の紙製容器１による包装方法は、図７および図８に示すように第１実施形態と同様であり、また、その際の作用および効果も同様に得ることができる。
【００３６】
図９から図１２は第３実施形態の罫線構造を適用した紙製容器１を示す。この第３実施形態では、側壁９Ａに第１指差部４と対応し、内部に収容した容器の一部を露出させるためなどに使用される開口３０を設け、側壁９Ｂとフラップ１２Ｂとの間には第１実施形態と同様の第４罫線１３を形成する一方、側壁９Ａとフラップ１２Ａとの間には異なる第５罫線３１を形成した点で、第１実施形態と特に相違している。
【００３７】
具体的には、第３実施形態の紙製容器１のブランクは、図９（Ａ）に示すように、上壁２と、上壁２の上下縁に連設した側壁９Ａ，９Ｂと、上壁２の両側縁に連設した外フラップ５と、前記側壁９Ａ，９Ｂの両側縁に連設した内フラップ１０Ａ，１０Ｂと、前記側壁９Ａ，９Ｂの上下端に連設したフラップ１２Ａ，１２Ｂとからなる。
【００３８】
前記上壁２と側壁９Ａ，９Ｂとの境界部分に形成する第１罫線３は、図９（Ａ），（Ｂ）に示すように、幅方向全体にかけて形成した折曲線３ａを備えている。そして、本実施形態では、前記折曲線３ａと所定間隔をもった側壁９Ａ，９Ｂの側にミシン目状の切断部３ｂが設けられている。そして、側壁９Ａとの境界部分では両側部に位置する切断部３ｂの端に、側壁９Ｂとの境界部分では両側部と中央部に位置する切断部３ｂの端に、上壁２内に向けて延びる傾斜切断部３ｃが設けられている。また、上壁２には、上側の側壁９Ａと隣接する縁に、略長楕円形状をなす第１指差部４が設けられている。この第１指差部４は、後述するフラップ１２Ａを連設した左側にのみ設けられている。
【００３９】
前記上壁２に連設された外フラップ５は、その境界部分に第２罫線６が設けられたもので、第２指差部７の頂部から先端に向けて延びるミシン目状の切離部８が設けられていない点で第１実施形態と相違する。
【００４０】
前記側壁９Ａ，９Ｂは、その両側に壁を構成する内フラップ１０Ａ，１０Ｂを備え、その境界部分に第３罫線１１を設けたもので、一方の側壁９Ａに前記第１指差部４と対応する開口３０を設けた点で第１実施形態と相違する。この開口３０は、図９（Ａ）において、前記第１指差部４と略同一幅の上端開口部３０ａと、該上端開口部３０ａから図示では上向きに延びる細幅の中央開口部３０ｂと、該中央開口部３０ｂの端に連続した上端開口部３０ａと略同一幅の下端開口部３０ｃとからなる。そして、この下端開口部３０ｃの端縁は、後述するフラップ１２Ａとの境界部分近傍に位置している。
【００４１】
第３実施形態の側壁９Ａ，９Ｂには、第１実施形態と同様に底蓋２０を貼着するためのフラップ１２Ａ，１２Ｂが設けられ、そのうち、フラップ１２Ａは側壁９Ａの縁の略半分の領域から突出され、フラップ１２Ｂは側壁９Ｂの縁の略全体から突出されている。そして、側壁９Ｂとフラップ１２Ｂとの境界部分には、第１実施形態と同様の第４罫線１３が設けられている。また、前記開口３０が近傍まで位置している側壁９Ａとフラップ１２Ａとの境界部分には、図９（Ｃ）に示す第５罫線３１が設けられている。この第５罫線３１は、一対のロック部３２と、該ロック部３２の両側に設けた折曲線３７とからなる。
【００４２】
前記ロック部３２は、前記折曲線３７と所定間隔をもって延びる第１切断線３３と、該第１切断線３３の両端から延びる第２，第３切断線３４，３５とからなり、折曲線３７に沿って所定間隔をもって一対に設けられている。
【００４３】
前記第１切断線３３は、折曲線３７と略並行に延びるように、フラップ１２Ａの側に設けられている。
【００４４】
前記第２切断線３４は、前記第１切断線３３の両端から折曲線３７を通過して側壁９Ａ内にかけて延びるように設けられている。また、これら第２切断線３４は、互いに離間するように外向きに傾斜して設けられている。これにより、前記第１切断線３３と一対の第２切断線３４とで囲まれた内部には、第１実施形態と同様に、第１切断線３３と鈍角に交差する台形状のロック片３６ｂが形成される。
【００４５】
前記第３切断線３５は、前記第１切断線３３の両端から第２切断線３４とは反対側に延びるように設けられている。また、これら第３切断線３５は、第２切断線３４と同様に、互いに離間するように外向きに傾斜して設けられている。これにより、第１切断線３３と一対の第３切断線３５とで囲まれた内部には、第１切断線３３と鈍角に交差し、前記ロック片３６ｂとは逆向きに突出する台形状のロック片３６ａが形成される。
【００４６】
前記折曲線３７は、段ボール紙に罫を入れて形成したもので、前記ロック部３２を構成する第２切断線３４に対してそれぞれ鈍角に交わる（突き当たる）ように形成されている。また、本実施形態では、各ロック部３２，３２の間に形成した折曲線３７には、折り曲げ性を向上するために切断部３８が設けられている。
【００４７】
次に、本発明の第４罫線１３および第５罫線３１を適用した紙製容器１による包装方法について説明する。
【００４８】
まず、第１実施形態と同様に、ブランクの表面を下側として収容する商品を配置した状態で、図１０に示すように、側壁９Ａ，９Ｂを折り曲げるとともに、内フラップ１０Ａ，１０Ｂを折り曲げる。ついで、図１１に示すように、ホットメルトなどの接着剤を塗布した外フラップ５を折り曲げて、内フラップ１０Ａ，１０Ｂに対して貼着する。
【００４９】
その後、一対のフラップ１２Ａ，１２Ｂを側壁９Ａ，９Ｂに対して折り曲げた後、これらフラップ１２Ａ，１２Ｂに接着剤を塗布した別体の底蓋２０を配設して貼着する。
【００５０】
側壁９Ｂとの間に第４罫線１３を設けたフラップ１２Ｂを折り曲げる際には、第１実施形態と同様に、その第４罫線１３が３種の切断線１５ａ，１５ｂ，１６，１７とリード罫からなる折曲線１９とからなるため、その折り曲げに必要な力は小さくてよいうえ、屈曲率が高い。しかも、ロック部１４は、逆向きに突出するロック片１８ａ，１８ｂが台形状をなすため、第２切断線１６および第３切断線１７での摩擦抵抗も少なく、捲れが生じ難い形状をなしている。そのため、９０度程度折り曲げるだけで、図４に示すように、側壁９Ｂの縁とロック片１８ａの面とを係止できるとともに、フラップ１２Ａ，１２Ｂの縁とロック片１８ｂ，１８ｂの面とを係止し、ロック作用を得ることができる。
【００５１】
また、側壁９Ａとの間に第５罫線３１を設けた前記フラップ１２Ａを折り曲げる際には、その第５罫線３１が３種の切断線３３，３４，３５と折曲線３７とからなり、各ロック部３２の間に位置する折曲線３７には切断部３８を設けているため、第４罫線１３と同様に、その折り曲げに必要な力は小さくてよいうえ、屈曲率が高い。しかも、ロック部３２は、逆向きに突出するロック片３６ａ，３６ｂが台形状をなすため、第２切断線３４での摩擦抵抗も少ない。そのため、９０度程度折り曲げるだけで、図１２に示すように、側壁９Ａと連続するロック片３６ｂの内面とフラップ１２Ａに連続するロック片３６ａの端面とを係止し、ロック作用を得ることができる。
【００５２】
さらに、フラップ１２Ａの折り曲げ時には、台形状をなすロック片３６ａ，３６ｂが、互いに逃げるように変形するため、捲れに係る問題が生じることを確実に防止できる。言い換えれば、逆向きに突出する各ロック片３６ａ，３６ｂは、それぞれ自身が撓むことが可能であるため、対向する縁との間に摩擦による引っ掛かりが生じても変形することにより、捲れの問題が生じることはない。
【００５３】
このように折り曲げられたフラップ１２Ａは、各ロック片３６ａ，３６ｂのロック作用により、折り曲げ前の状態に戻ることはないが、各ロック片３６ａ，３６ｂの各面での係止、および、紙自身の腰（弾性力）により、若干戻る力が作用する。その結果、例えば９０度以上折り曲げる力を加えても、フラップ１２Ａは、若干上向きに傾斜した状態をなす。そのため、底蓋２０を貼着する作業が困難になるという問題を第４罫線１３と同様に確実に防止できる。この第５罫線３１は、前述のように、開口３０が近傍まで延びており、第４罫線１３のように第１切断線１５ａ，１５ｂを折曲線１９を挟んで千鳥足状に配置できない場合に特に有効である。
【００５４】
なお、本発明の紙製品の罫線構造および該罫線を用いた紙製容器１は、前記実施形態の構成に限定されるものではなく、種々の変更が可能である。
【００５５】
例えば、第１および第２実施形態では、第１切断線１５ａ，１５ｂは、互いに重なり合う部分が生じないように位相させたが、これらの間に設ける第２切断線１６が直交するように、第１切断線１５ａ，１５ｂの端部が幅方向に一致するように設定してもよい。
【００５６】
また、第３実施形態では、開口３０を設けた側壁９Ａに連設したフラップ１２Ａとの境界に第５罫線３１を設け、側壁９Ｂとフラップ１２Ｂとの境界には第４罫線１３を設けたが、両方に第５罫線３１を設けてもよく、このようにしても前記と同様の作用および効果を得ることができる。
【図面の簡単な説明】
【００５７】
【図１】本発明の第１実施形態に係る紙製品である紙製容器のブランクを示し、（Ａ）は平面図、（Ｂ）は（Ａ）のＢ部分の拡大図、（Ｃ）は（Ａ）のＣ部分の拡大図である。
【図２】第１実施形態の組立工程の第１の状態を示す斜視図である。
【図３】第１実施形態の組立工程の第２の状態を示す斜視図である。
【図４】図３の要部拡大斜視図である。
【図５】底蓋を貼着する状態を示す断面図である。
【図６】第２実施形態に係る紙製品である紙製容器のブランクを示し、（Ａ）は平面図、（Ｂ）は（Ａ）のＣ部分の拡大図である。
【図７】第２実施形態の組立工程の第１の状態を示す斜視図である。
【図８】第２実施形態の組立工程の第２の状態を示す斜視図である。
【図９】第３実施形態に係る紙製品である紙製容器のブランクを示し、（Ａ）は平面図、（Ｂ）は（Ａ）のＢ部分の拡大図、（Ｃ）は（Ａ）のＣ部分の拡大図である。
【図１０】第３実施形態の組立工程の第１の状態を示す斜視図である。
【図１１】第３実施形態の組立工程の第２の状態を示す斜視図である。
【図１２】図１１の要部拡大斜視図である。
【符号の説明】
【００５８】
１…紙製容器（紙製品）          ２…上壁
５…外フラップ                  ９Ａ，９Ｂ…側壁
１０Ａ，１０Ｂ…内フラップ      １２Ａ，１２Ｂ…フラップ（折曲部分）
１３…第４罫線                  １４…ロック部
１５ａ，１５ｂ…第１切断線      １６…第２切断線
１７…第３切断線                １８ａ，１８ｂ…ロック片
１９…折曲線                    ２０…底蓋
３１…第５罫線                  ３２…ロック部
３３…第１切断線                ３４…第２切断線
３５…第３切断線                ３６ａ，３６ｂ…ロック片
３７…折曲線
【図１】
2005008274.tif 000003
【図２】
2005008274.tif 000004
【図３】
2005008274.tif 000005
【図４】
2005008274.tif 000006
【図５】
2005008274.tif 000007
【図６】
2005008274.tif 000008
【図７】
2005008274.tif 000009
【図８】
2005008274.tif 000010
【図９】
2005008274.tif 000011
【図１０】
2005008274.tif 000012
【図１１】
2005008274.tif 000013
【図１２】
2005008274.tif 000014